(57)【要約】【課題】  野菜などの苗床に張った防草シートを固定する方法としては、防草シートの縁端に土を被せる、Ｔ型の固定具及び逆Ｕ字型の針金などで固定する方法が用いられているが、作業の難しさ及び高コストが課題となる。防草シートの縁端に紐を押設せしめる紐挿入具及び連続した紐で防草シートを縫うように固定する固定方法を提供する。【解決手段】前端及び後端を有する鋼板において、鋼板の前端から後端へ突条を設け、鋼板の前端に凸部を設け、鋼板の後端に柄を設ける。さらに、防草シートの縁端に紐の挿入点を決め、連続した紐の挿入代分を両方に配置せしめる箇所を折り曲げて紐の挿入先とし、紐の挿入先を紐挿入具の凸部に掛着し、挿入点に紐挿入具の凸部を当てかつ柄を押して紐を苗床深くに挿入した後に紐挿入具を抜き取り、防草シートの縁端に間隔を開けて紐を繰り返し挿設する。【選択図】図２
2015231358.tif 000002
【特許請求の範囲】
【請求項１】
前端及び後端を有する鋼板において、鋼板の前端から後端へ突条を設け、鋼板の前端に凸部を設け、鋼板の後端に柄を設けたことを特徴とする、紐挿入具。
【請求項２】
苗床に敷いた防草シートの縁端に連続した紐を挿入するための挿入点を決め、紐の挿入代分を両方に配置せしめる箇所を折り曲げて紐の挿入先とし、紐の挿入先を紐挿入具の凸部に掛着して紐を鋼板に沿わせ、紐の挿入点に紐挿入具の凸部を当てかつ柄を押して防草シートを破りながら紐を苗床深くに挿入した後に紐挿入具を抜き取って紐を苗床に挿設し、防草シートの縁端に間隔を開けて紐を繰り返し挿設していく、防草シートの固定方法。
【発明の詳細な説明】
【技術分野】
【０００１】  この発明は、畑の苗床に張った防草シートを連続した紐で固定する、紐挿入具及び防草シートの固定方法に関するものである。
【背景技術】
【０００２】  野菜栽培では、苗床に防草シートを敷いて雑草が生えるのを防ぎます。しかし、薄い防草シートは風に煽られると捲れるために固定が必要となります。防草シートの固定方法としては、防草シートの縁端に土を被せるのが一般的な固定方法である。
他の方法として、防草シートの縁端にプラスチック製のＴ型の固定具及び逆Ｕ字形の針金を刺して固定する方法も用いられている。
上記以外の方法として特許文献１は、マルチシート固定紐に突起物を設け、突起物をマルチシート固定紐挿入具で苗床に挿入してマルチシートを固定する方法である。
【先行技術文献】
【０００３】
【特許文献１】特開２０１２−１８７０３４
【発明の概要】
【発明が解決しようとする課題】
【０００４】  畑の苗床に敷いた防草シートの固定方法では、防草シートの縁に土を被せて固定する方法が一般的である。大規模な農業用防草シートは幅が広く、土を被せる装置も機械化されていますが、一般的な防草シートは幅が狭く、鍬で土を被せるのは難しい作業となり疲労を招く。土の被せ方が足りないと雨で土が流されて固定できなくなる。【０００５】他の固定方法として、防草シートの端にプラスチック製のＴ型の固定具及び逆Ｕ字形の針金を刺して留める方法もあるが、両固定具は多数必要となるために高コストになる。または、プラスチック製のＴ型の固定具は土に刺し込む部分が短く、耕して軟らかくなった土には効き難いなどの問題がある。【０００６】特許文献１は、切断したマルチシート固定紐の両端に突起物を設け、突起物をマルチシート固定紐挿入具で苗床に挿入する方法であるが、マルチシート固定紐を一定の寸法に切断して両端に突起物を設ける。または、マルチシート固定紐に一定の間隔を開けて突起物を設けるなどの前段取り作業が必要となって高コストとなる。
さらに、マルチシート固定紐の切断寸法及び突起物の取付け間隔により挿入深さが限定されるために苗床の耕作深さの変化に適応し難く、マルチシートの固定具合にバラツキが生じる。
苗床から棒状のマルチシート固定紐挿入具を抜き取った後には棒状の空洞が形成され、突起物及びマルチシート固定紐が抜け易くなるなどの欠点を有している。
さらに、マルチシート固定紐、プラスチック製のＴ型の固定具及び逆Ｕ字形の針金を回収する際には、固定具毎に屈んで回収しなければならないなどの煩わしさもある。
本発明は、以上の問題点を解決するために発明されたものである。
【課題を解決するための手段】
【０００７】  前端及び後端を有する薄い鋼板において、鋼板の前端から後端へ突条を設け、鋼板の前端に凸部を設け、鋼板の後端に柄を設ける。【０００８】  苗床に敷いた防草シートの縁端に連続した紐を挿入するための挿入点を決め、紐の挿入代分を両方に配置せしめる箇所を折り曲げて紐の挿入先とし、紐の挿入先を紐挿入具の凸部に掛着して紐を鋼板に沿わせ、紐の挿入点に紐挿入具の凸部を当てかつ柄を押して防草シートを破りながら紐を苗床深くに挿入した後に紐挿入具を抜き取って紐を苗床に挿設し、防草シートの縁端に間隔を開けて紐を繰り返し挿設して防草シートを固定する。
【発明の効果】
【０００９】  本発明を使用すれば、苗床に敷いた防草シートを固定する固定具は、複数の糸を撚り合わせた連続した紐のみである。紐が連続しているので挿入箇所が自由に選べ、かつ挿入深さも苗床の耕作深さの変化に柔軟に適応できる。
さらに、図３の様に苗床上の防草シートも紐で固定することが可能であり、苗床上の防草シートが風に煽られて小さな苗を傷つけることも無くなる。
そして、紐挿入具は薄い鋼板で形成されているので、紐を苗床に挿入した後に紐挿入具を抜き取った際には苗床に不要な空洞を形成し難く、土が紐に確りと絡まって抜け難くなる。さらに、紐の回収においては、紐が連続しているので立った状態で紐を上に引き抜きながら巻き取るだけで容易に回収できるなどの利点を有している。【００１０】けっか、防草シートの縁端に土を被せる作業、高コストなプラスチック製のＴ型の固定具、逆Ｕ字型の針金及び固定紐を切断して突起物を設ける作業などは不要となり、固定作業の疲労軽減及び固定コストの低減が図れる。
【図面の簡単な説明】
【００１１】
【図１】連続した紐を挿入せしめる紐挿入具の斜視図である。
【図２】防草シートの縁端を連続した紐及び紐挿入具で固定している斜視図である。
【図３】防草シートの縁端及び床面を紐で固定している斜視図である。
【発明を実施するための形態】
【００１２】以下、本発明の紐挿入具を図１の斜視図に基づいて説明する。
前端（２）及び後端（４）を有する薄い帯状の鋼板（６）において、鋼板（６）の前端（２）から後端（４）へ突条（８）を設けて剛性を高め、鋼板（６）の前端（２）に紐を掛着せしめる凸部（１０）を設け、鋼板（６）の後端（４）に把持せしめる柄（１２）を設けた紐挿入具（１４）である。
【００１３】以下、本発明の防草シートの固定方法を図１、図２の斜視図に基づいて説明する。
苗床（２４）に敷いた防草シート（２６）の縁端に、複数の糸を撚り合せた連続した紐（２０）を挿入するための挿入点（Ａ）を決め、挿入代分を両方に配置せしめる箇所を折り曲げて紐の挿入先（２２）とし、紐の挿入先（２２）を紐挿入具（１４）の凸部（１０）に掛着して紐（２０）を鋼板（６）に沿わせ、紐の挿入点（Ａ）に紐挿入具（１４）の凸部（１０）を当てかつ柄（１２）を押して防草シート（２６）を破りながら紐（２０）を苗床（２４）深くに挿入した後に紐挿入具（１４）を抜き取って紐（２０）を苗床（２４）に挿設し、防草シート（２６）の縁端に間隔を開けて紐（２０）を繰り返し挿設して防草シート（２６）を固定する。
【００１４】本発明は以上の構成と方法からなるので本発明を使用する場合は、苗床（２４）に敷いた防草シート（２６）の縁端に紐（２０）の一回目の挿入点（Ａ）を決め、挿入代分を両方に配置せしめる箇所を折り曲げて紐の挿入先（２２）とし、紐の挿入先（２２）を紐挿入具（１４）の凸部（１０）に掛着し、紐（２０）を鋼板（６）に沿わせ、挿入点（Ａ）に紐挿入具（１４）の凸部（１０）を当てかつ柄（１２）を押して防草シート（２６）を破りながら紐（２０）を苗床（２４）深くに挿入した後に紐挿入具（１４）を抜き取ることにより紐（２０）の一回目の挿設箇所（Ａ１）となる。
次に、防草シート（２６）の縁端に間隔を開けて紐（２０）の二回目の挿入点（Ｂ）を決め、一回目の挿設箇所（Ａ１）から二回目の挿入点（Ｂ）まで紐（２０）を配置し、一回目の挿設箇所（Ａ１）と同様の挿入作業を行うことにより二回目の挿設箇所（Ｂ２）となる。
けっか、一回目の挿設箇所（Ａ１）から二回目の挿設箇所（Ｂ２）に紐（２０）が張られることにより、防草シート（２６）は紐（２０）で押さえられて苗床（２４）に固定される。さらに、防草シート（２６）の縁端に間隔を開けて紐（２０）を繰り返し挿設することにより、防草シート（２６）は紐（２０）で縫うように苗床（２４）に固定される。
なお、固定紐（２０）の張り加減は紐の挿入代分より浅く挿入すると弱く張られ、深く挿入すると強く張られるので、紐（２０）を挿入する毎に張り加減を確認しながら押設します。
【符号の説明】
【００１５】２      前端
４      後端
６      鋼板
８      突条
１０    凸部
１２    柄
１４    紐挿入具
２０    紐
２２    紐の挿入先
２４    苗床
２６    防草シート
Ａ，Ｂ    紐の挿入点
Ａ１，Ｂ２  挿設箇所
【図１】
2015231358.tif 000003
【図２】
2015231358.tif 000004
【図３】
2015231358.tif 000005